(57)【要約】【課題】本発明は、屋外において、テントの設営、ネット、フェンス、立て看板などの固定用に供する、ハンマーで杭を地中に打ち込んで土中に突き出しピンを放射状に突出させる抜け防止付倍力機構応用の杭を提供する。【解決手段】本発明の抜け防止付倍力機構応用の杭は、頭部２にフランジ部３を有し、足部４を円錐体に形成し、前記頭部２と前記足部４とを一体に連結する円筒体の胴体部５を備えた杭本体１である。杭本体１の上部に保護蓋（図示せず）を乗せ、ハンマーにて保護蓋（図示せず）を打ち、完全に地中に入ってから前記保護蓋（図示せず）を外し、押し棒２０により打ち込み動作円錐体１２を下降させ、動作円錐体１２の円錐足部１４の傾斜面により突き出しピン１７を杭本体１の土中外側にクサビの原理による倍力機構により放射状に突き出させ、杭本体１を固く固着するものである。【選択図】図２
2010048022.tif 000002
【特許請求の範囲】
【請求項１】
杭本体が頭部にフランジ部を有し、足部が外側に拡大した大径円筒部と該大径円筒部から徐々に先端方向へ向かって小径となる先鋭円錐体に形成し、前記頭部と前記足部とを一体に連結する円筒体の胴体部を備えてなり、前記胴体部は、円筒体の途中に外側に拡大した大径円筒部と該大径円筒部から徐々に先端方向へ向かって小径となる円錐部を形成した抜け止め段部を形成し、さらに前記胴体部の軸心方向には、前記頭部から前記足部大径円筒部へ至る同心円状に所定深さの空洞部を形成し、前記胴体部の大径円筒部及び足部の大径円筒部には、外周面から前記空洞部に鉛直に連通するピン嵌合孔を円周方向に等間隔に複数個形成し、前記ピン嵌合孔に嵌合する突き出しピンを設け、そして前記突き出しピンは前記胴体部の大径円筒部及び足部の大径円筒部の外周面から前記動作円錐体の小径の円筒胴部に当接する寸法に形成され、さらに別体に形成された動作円錐体は、前記空洞部に嵌合される外径の円筒胴部と該円筒胴部に連結された円錐足部と該円錐足部に連結された小径の円筒胴部からなり、前記動作円錐体が前記空洞部に複数個直列に嵌合挿入されることを特徴とする抜け防止付倍力機構応用の杭。
【発明の詳細な説明】
【技術分野】
【０００１】
本発明は、屋外において、テントの設営、ネット、フェンス、立て看板などの固定用に供する抜け防止付倍力機構応用の杭に関する
【背景技術】
【０００２】
従来、テントの付属品として用いられるテント用の杭は、土中に打ち込まれ、ロープの一端が連繋されることでテントの支柱を安定に固定するもので、一般に鉄系金属によって丸棒状に製作され、頭部付近にロープの一端が連繋されるフックを有し、先端が円錐状に先鋭化されている(特許文献１を参照)。
しかし、このテント用の杭は、丸棒部分が直線形状のため、杭が抜け易いという欠点があった。
【０００３】
また、他例の抜け難い杭として、地盤や岩盤に土木・建築構造物を定着錨止せしめるためのメカニカル・アンカーが知られている（特許文献２を参照）。
この公知技術は、土留め壁の如き被支持体を地盤にアンカーで定着させるため、地盤にボーリングによって削孔してアンカーを挿入するか、アンカーをハンマー等で打設又は圧入するか、又はアンカーの足部にビットとしての機能を持たせて本体を回転させながらアンカー自体でボーリングを行わせながら地盤内に挿入せしめるもので、アンカーの挿入時には、打込カバーをねじ部に装着してロッドの移動を防止しながら挿入し、その後、打込カバーを取り外し、ロッドの上端を打ち込むと、ロッドに固定されているシリンダー部及びコーン部が可動爪を押し広げるように降下するので、下側にある可動爪はピンまわりに回転しながら開口部より突出して地盤に食い込む、この間アンカーはその軸方向に移動せず、鋭端を有する可動爪は地盤を切るようにして突出するものである。
【特許文献１】実開平０４−２８６３号公報
【特許文献２】特開昭４９−１２２１０６号公報
【発明の開示】
【発明が解決しようとする課題】
【０００４】
本発明は、屋外において、テントの設営、ネット、フェンス、立て看板などの固定用に供する、ハンマーで杭を地中に打ち込んで土中に突き出しピンを放射状に突出させる抜け防止付倍力機構応用の杭を提供することを目的とする。
【課題を解決するための手段】
【０００５】
本発明の抜け防止付倍力機構応用の杭は、杭本体が頭部にフランジ部を有し、足部が外側に拡大した大径円筒部と該大径円筒部から徐々に先端方向へ向かって小径となる先鋭円錐体に形成し、前記頭部と前記足部とを一体に連結する円筒体の胴体部を備えてなり、前記胴体部は、円筒体の途中に外側に拡大した大径円筒部と該大径円筒部から徐々に先端方向へ向かって小径となる円錐部を形成した抜け止め段部を形成し、さらに前記胴体部の軸心方向には、前記頭部から前記足部大径円筒部へ至る同心円状に所定深さの空洞部を形成し、前記胴体部の大径円筒部及び足部の大径円筒部には、外周面から前記空洞部に鉛直に連通するピン嵌合孔を円周方向に等間隔に複数個形成し、前記ピン嵌合孔に嵌合する突き出しピンを設け、そして前記突き出しピンは前記胴体部の大径円筒部及び足部の大径円筒部の外周面から前記動作円錐体の小径の円筒胴部に当接する寸法に形成され、さらに別体に形成された動作円錐体は、前記空洞部に嵌合される外径の円筒胴部と該円筒胴部に連結された円錐足部と該円錐足部に連結された小径の円筒胴部からなり、前記動作円錐体が前記空洞部に複数個直列に嵌合挿入されるものである。
【発明の効果】
【０００６】
本発明の抜け防止付倍力機構応用の杭は、ハンマーで杭を地中に打ち込んで土中に突き出しピンを放射状に突出させるため、テントの設営、看板の設置、目かくしの板塀やフェンスの設置などに於いて、それらの固定用としての杭を打ち込んでそれらを風その他の外力に対処できるものである。
本発明の抜け防止付倍力機構応用の杭は、ハンマーで杭を地中に打ち込んで土中に突き出しピンを放射状に突出させるため、地中に打ち込んでテントの設営、看板の設置、目かくしの板塀やフェンスの設置に従来の杭より強固で容易に抜けないようにできるものである。
【０００７】
本発明の抜け防止付倍力機構応用の杭は、杭本体の内部より倍力機構応用の突き出しピンが放射状に突出し、杭本体が地中に固く固着するもので、隣家のトイレ、浴室の窓等の目隠し用塀の固定用杭、又は庭の樹木保護用の寄木及び雪吊りの縄の固定杭としても使用可能で、その他従来必要とする総ての屋外の設置物の固定に供することができる。
【発明を実施するための最良の形態】
【０００８】
本発明の抜け防止付倍力機構応用の杭の一実施例を添付図面に基づいて、以下に説明する。
図１に示すように、本発明の抜け防止付倍力機構応用の杭は、頭部２にフランジ部３を有し、足部４を円錐体に形成し、前記頭部２と前記足部４とを一体に連結する円筒体の胴体部５を備えた杭本体１である。
前記フランジ部３は、前記杭本体１を土中に打ち込む際の打撃面となり、打ち込まれた杭本体１は前記フランジ部３が地表面に接触することにより係止され、ストッパーの役目をする。
前記足部４は、前記胴体部５の円筒体より外側に拡大した大径円筒部６と該大径円筒部６から徐々に先端方向へ向かって小径となる先鋭円錐体７となっているので、前記杭本体１を土中に打ち込む作業を容易にさせる。
【０００９】
前記胴体部５は、前記頭部２と前記足部４とを一体に連結し、円筒体の途中に外側に拡大した大径円筒部８と該大径円筒部８から徐々に先端方向へ向かって小径となる円錐部９を形成した抜け止め段部１０を形成する。
そして、前記胴体部５の軸心方向には、前記頭部２から前記足部４へ至る同心円状に所定深さの空洞部１１を形成し、該空洞部１１には、別体に形成された動作円錐体１２が複数個嵌合挿入される。
図５（ａ）、（ｂ）に示すように、前記動作円錐体１２は、前記空洞部１１に嵌合される外径の円筒胴部１３と該円筒胴部１３に連続した円錐足部１４と、該円錐足部１４に連結された小径の円筒胴部１５からなる。図５（（ｂ）に示す最下部へ挿入される前記動作円錐体１２は、前記円筒胴体１５の先端に嵌合ストッパー２２を設けて動作円錐体１２の破壊を防止している。強度が十分と考えら得る場合にはこの嵌合ストッパー２２を設ける必要はない。
そして、図４に示すように、前記胴体部５の大径円筒部８及び足部４の大径円筒部６には、外周面から前記空洞部１１に鉛直に連通するピン嵌合孔１６を等間隔に複数個、例えば図１においては４等分する角度９０°で４個形成する。前記ピン嵌合孔１６は上下の位置で重ならないように４５°ずらして設けると良い。
【００１０】
前記ピン嵌合孔１６に嵌合する突き出しピン１７は、前記胴体部５の大径円筒部８及び足部４の大径円筒部６の外周面から前記動作円錐体１２の小径の円筒胴部１５に当接するまでの寸法で、かつ前記突き出しピン１７は前記動作円錐体１２の円錐足部１４に接触して円滑に滑動できるように両端を円弧状に形成するとよい。
なお、図２に示すように、前記杭本体１の空洞部１１内には、同心円状に中心軸となる中心軸棒１８を立設固定し、図５に示すように前記動作円錐体１２の中心軸にも前記中心軸棒１８が嵌合挿入できる貫通孔１９を形成し、この貫通孔１９は前記動作円錐体１２の軸方向中央の空気孔ともなる。
すなわち、前記動作円錐体１２を前記空洞部１１に挿入すると、前記動作円錐体１２の貫通孔１９が前記中心軸棒１８に挿入され、前記動作円錐体１２の移動により押圧された空気は前記貫通孔１９を経て外部へ排出される。
本発明の抜け防止付倍力機構応用の杭は、杭本体１が頭部２にフランジ部３を有し、足部４が外側に拡大した大径円筒部６と該大径円筒部６から徐々に先端方向へ向かって小径となる先鋭円錐体７に形成し、前記頭部２と前記足部４とを一体に連結する円筒体の胴体部５を備えてなり、前記胴体部５は円筒体の途中に外側に拡大した大径円筒部８と該大径円筒部８から徐々に先端方向へ向かって小径となる円錐部９を形成した抜け止め段部１０を形成し、さらに前記胴体部５の軸心方向には前記頭部２から前記足部４へ至る同心円状に所定長さの空洞部１１を形成し、そして前記胴体部５の大径円筒部８及び足部４の大径円筒部６には、外周面から前記空洞部１１に鉛直に連通するピン嵌合孔１６を等間隔に複数個形成し、前記ピン嵌合孔１６に嵌合する突き出しピン１７を設け、該突き出しピン１７は前記胴体部５の大径円筒部８及び足部４の大径円筒部７の外周面から前記動作円錐体１２の小径の円筒胴部１５に当接するまでの長さに形成したものである。
また、別体に形成された動作円錐体１２は、前記空洞部１１に嵌合される外径の円筒胴部１３と該円筒胴部１３に連結された円錐足部１４と該円錐足部１４に連結された小径の円筒胴部１５からなり、前記動作円錐体１２が前記杭本体１の空洞部１１に複数個直列に嵌合挿入されるものである。
【００１１】
次に、本発明の抜け防止付倍力機構応用の杭の動作操作を添付図面に基づいて、以下に説明する。
まず、杭本体１を地中に打ち込む前の準備として動作円錐体１２及び突き出しピン１７を定位置に保持する必要がある。
その準備作業のため、あらかじめ杭本体１を貫通する丸孔（図示せず）を２個開けておき、これに位置決め棒（図示せず）を通し動作円錐体１２を落下させ、図１に示す位置に動作円錐体１２の円筒胴部１５の下面が位置決め棒（図示せず）に当たって停止する。
次に、突き出しピン１７を杭本体１の外周壁に開けられたピン嵌合孔１６へ挿入し、突き出しピン１７の内部の端面が円筒胴部１５へ当たって突き出しピン１７の位置が決まる。該突き出しピン１７は、図３に示すように円筒胴部１５から外側へ放射状に配列される。
そして、突き出しピン１７が脱落しないように、粘着テープ（図示せず）を杭本体１に巻きつけた後、位置決め棒（図示せず）を外す、これで最下段の動作円錐体１２の設定ができるので、以下繰り返し次段の動作円錐体１２を挿入して杭本体１の打ち込み準備完了である。
【００１２】
打ち込み準備が完了したら、杭本体１の上部に保護蓋（図示せず）を乗せ、杭本体１をハンマーで打ち込んで土中に杭本体１を完全に打ち込み、仮固定する。
仮固定が終了したら、図２に示すように固定補助用具である押し棒２０を使用して杭本体１の空洞部１１をスライド可能な動作円錐体１２をハンマーで打ち込み、前記動作円錐体１２の円錐足部１４の円錐面によって図４に示すように突き出しピン１７を杭本体１の外側地中に放射状にクサビの原理の倍力機構により強大な力で突出させ、杭本体１を地中に固着せしめる。
なお、前記押し棒２０は中心部に前記中心軸棒１８が嵌合する挿入孔２１が形成されている。
杭本体１を土中に打ち込む場所が地上に設置するものの種類や大きさに応じて動作円錐体１２が１個の一段式のものと、動作円錐体１２が２個以上の多段式のものとがある。
杭本体１を地中に固着せしめたら、図６に示すように杭本体１にテントのロープを固定する。
【００１３】
本発明の抜け防止付倍力機構応用の杭は、杭本体１の空洞部１１中に動作円錐体１２をゆるく嵌合せしめ、動作円錐体１２の円錐面の下端に円筒状の円筒胴部１５を設け、その円錐面の下端に接するよう突き出しピン１７を設け、動作円錐体１２を押し棒２０で下方に打ち込むことにより、突き出しピン１７を杭本体１に開けられたピン嵌合孔１６から放射状に土中外側に強大な力により突き出させ、杭本体１を土中に固く固定せしめて抜け難くするものである。
全ての突き出しピン１７が完全に杭本体１の土中外側に突出したら、動作円錐体１２は空洞部１１の底部に当たって総て打ち込みを完了する。
この打ち込み作業は、杭本体１の上部に保護蓋（図示せず）を乗せ、ハンマーにて保護蓋（図示せず）を打ち、完全に地中に入ってから前記保護蓋（図示せず）を外し、押し棒２０により打ち込み動作円錐体１２を下降させ、動作円錐体１２の円錐足部１４の傾斜面により突き出しピン１７を杭本体１の土中外側にクサビの原理による倍力機構により放射状に突き出させ、杭本体１を固く固着するものである。
【００１４】
本発明の抜け防止付倍力機構応用の杭は、杭本体１の内部より倍力機構応用の突き出しピン１７が放射状に突出し、杭本体１が地中に固く固着するもので、屋外にテントの設営、ネット、フェンス、立て看板などの固定用に供するものであるが、隣家のトイレ、浴室の窓等の目隠し用塀の固定用杭又は、庭の樹木保護用の寄木及び雪吊りの縄の固定杭としても使用可能で、その他従来必要とする総ての屋外の設置物の固定に供するものである。
そのため、屋外に設置、設営されたものを固定するために供された杭本体１を抜け難いものとする手段として中空状の杭本体１の中心から放射状に突き出しピン１７が複数個配列されるピン嵌合孔１６を杭本体１の大径円筒部８に等間隔で開けるものである。
杭本体１の空洞部１１をスムーズに直下する動作円錐体１２を設け、動作円錐体１２の円錐足部１４の傾斜面に前記突き出しピン１７の内側先端を当て、ハンマーで押し棒２０を打ち込み動作円錐体１２を降下させる。
その打ち込んだ力の何倍の力、即ちクサビ作用の倍力機構による強大なる力で突き出しピン１７の外側先端が杭本体１の外面と接する地中に突出される。
このとき、突き出しピン１７の内側先端が大径円筒部８の外周壁内に残存することで杭本体１は地中に保持され、抜け難い杭となる。
【図面の簡単な説明】
【００１５】
【図１】本発明の抜け防止付倍力機構応用の杭を打ち込む前の断面図である。
【図２】本発明の抜け防止付倍力機構応用の杭を打ち込んだ後の断面図である。
【図３】本発明の抜け防止付倍力機構応用の杭を打ち込む前の平面図である。
【図４】本発明の抜け防止付倍力機構応用の杭を打ち込んだ後の平面図である。
【図５】動作円錐体の断面図である。
【図６】本発明の抜け防止付倍力機構応用の杭を使用したテントの外観図である。
【符号の説明】
【００１６】
１  杭本体
２  頭部
３  フランジ部
４  足部
５  胴体部
６  大径円筒部
７  先鋭円錐体
８  大径円筒部
９  円錐部
１０  抜け止め段部
１１  空洞部
１２  動作円錐体
１３  円筒胴部
１４  円錐足部
１５  円筒胴部
１６  ピン嵌合孔
１７  突き出しピン
１８  中心軸棒
１９  貫通孔
２０  押し棒
２１  挿入孔
２２  嵌合ストッパー
【図１】
2010048022.tif 000003
【図２】
2010048022.tif 000004
【図３】
2010048022.tif 000005
【図４】
2010048022.tif 000006
【図５】
2010048022.tif 000007
【図６】
2010048022.tif 000008